(57)【要約】【課題】ネットワークを介して少なくとも産院に関する情報のうち、産院内でのみ撮影し得る撮影データを、個別的に処理する。【解決手段】システム１０は、ネットワーク２０を介し、管理センターのサーバ１２，各産院が保有する産院端末１４，各顧客が所有する対象端末１６で構成する。診療室２６等に配置した入力端末２７等は、産院端末１４に接続する。入力端末２７で撮影した映像データ（胎児の映像等）を、顧客に記念品として提供する。即ち、従来では撮影困難のデータでかつ顧客にとって貴重なデータが得るので、顧客の満足度が高められる。また、病院毎の産院データ，完成済みの複数のアルバムデータを、管理センターが一括して管理するので、病院毎および顧客毎の管理が迅速かつ容易となる。さらに、管理センターに産院のコマーシャル部分の撮影，およびアルバムデータを管理させるので、産院側の負担が軽減する。【選択図】        図１
2004208233.tif 000002
【特許請求の範囲】
【請求項１】
ネットワークを介して少なくとも産院における情報を処理する情報処理方法であって、
産院の固有情報に基づく第１データと、院内等に配置された撮影手段と、この撮影手段で撮影された個人データからなる第２データと、前記第１データおよび第２データを編集処理する手段を有してなる産院における情報処理方法。
【請求項２】
院内等にそれぞれ配置され、個人に関する撮影データを入力する複数の撮影手段と、
ネットワークに接続されると共に、前記撮影手段に接続され、かつ前記撮影手段による前記撮影データを記憶させる記憶手段と、
前記ネットワークに接続されると共に、前記記憶手段に記憶させた前記撮影データおよび産院の固有情報に基づく産院データが編集処理されたデータを、管理する管理手段と、
前記ネットワークに接続可能な対象者を予め登録し、かつ前記登録した対象者のみが上記編集処理されたデータを受信可能な対象端末と、
を含むことを特徴とする産院における情報処理システム。
【請求項３】
院内等に配置された撮影手段で撮影された撮影データを記憶する記憶部と、
産院の固有情報に基づく産院データを、記憶している管理センター側の管理部からネットワークを介して受信する受信部と、
前記記憶部に記憶された前記撮影データと，前記受信部によって受信された前記産院データとを編集処理したアルバムデータを、前記ネットワークを介して前記管理部へ出力する出力部と、
を有することを特徴とする産院における情報処理装置。
【発明の詳細な説明】
【０００１】
【発明の属する技術分野】
本発明は、ネットワークを介して少なくとも産院のおける情報を処理する情報処理方法、装置およびシステムに関する。
【０００２】
【従来の技術】
一般的に、産婦人科医院（以下、単に「産院」という）では、新生児の両親に対し、退院時にさまざまな新生児誕生を記念する記念品を贈呈している。
【０００３】
一方、両親などは、個人的に、産院の新生児室内の新生児を、誕生の記念として撮影することができる。しかし、新生児の成長は著しく、経過に応じたタイムリーな撮影は難しいのが現状である。また、例えば出産前の胎児成長映像・出産映像・沐浴映像などを出産ヒストリーとしてタイムリーに撮影するのは難しいのが現状である。
【０００４】
ところで、産院側は、自己の産院を宣伝する手段として、産院の全景並びに院内を撮影したものや、医師、看護婦の仕事ぶり、院長の挨拶等の病院に関するその産院の固有情報に基づくコマーシャルデータと、産院内でのみ撮影し得る胎児の画像データなど新生児ごとの個人データとを顧客に提供することが考えられる。即ち、産院のいわゆるコマーシャルデータとともに上記新生児ごとの個人データを、ビデオテープに収録してオリジナルなビデオテープを顧客に提供するものがあった（特許文献１参照）。
【０００５】
【特許文献１】
特開平６−２０３５３２号（段落００２０ないし段落００２２、図４）。
【０００６】
【発明が解決しようとする課題】
しかしながら、このような録画編集装置では、病院に関するコマーシャルデータを、決められた記録領域に記録したビデオテープをあらかじめ用意しておき、その後、新生児ごとの個人データを、ビデオテープの未記録領域に挿入し記録するようになされているため、病院に関するコマーシャルデータを記録する作業と、個人的なデータを記録する作業とを同時に行えず、操作が煩わしいという問題があった。
【０００７】
そこで、本発明は、上記事情を考慮し、ネットワークを介して産院の固有情報に基づくデータと、産院内でのみ撮影し得る撮影データを、管理および処理する情報処理方法、装置およびシステムを提供するものである。
【０００８】
【課題を解決するための手段】
本発明では、ネットワークを介して少なくとも産院における情報を処理する情報処理方法であって、産院の固有情報に基づく第１データと、院内等に配置された撮影手段と、この撮影手段で撮影された個人データからなる第２データと、前記第１データおよび第２データを編集処理することを特徴とする。
【０００９】
本発明においては、産院の固有情報とともに、従来では撮影が困難である映像データ（例えば出産前の胎児成長映像・出産映像・沐浴映像など）からなる出生ヒストリーを、顧客に記念品として提供できる。
【００１０】
従って、本発明によれば、従来では撮影困難のデータでかつ顧客にとって貴重なデータを得ることができるので、顧客の満足度が高められるとともに、他の産院との差別化が可能となり、産院の認知度のアップも期待できる。
【００１１】
【発明の実施の形態】
以下、図１乃至図１３に基づいて、本発明の一実施形態である産院に関する情報処理方法、装置およびシステムについて説明する。なお、図１は本実施形態の産院に関する情報処理システムの構成を示すブロック図、図２は図１に示すサーバのハードディスクに記憶される各種データ領域を示す模式図である。
【００１２】
図１に示すように、産院に関する情報処理システム（以下、「産院情報処理システム」という）１０は、産院に関する各種情報を保有すると共に、出産に関するサービスを一括して取り扱う管理センターのサーバ１２と，上記産院情報処理システム１０を利用すべく上記管理センターとネットワークで結ばれた産院が保有する産院ごとの端末１４と，上記産院情報処理システム１０を利用すべく上記管理センターとネットワークで結ばれたユーザ（顧客）が各々所有する対象端末１６を備える。
【００１３】
さらに、産院情報処理システム１０は、サーバ１２，産院端末１４，および対象端末１６が、モデム，ルータ，ＴＡ（ターミナル・アダプタ）などの図示しない接続装置を介してネットワーク（例えば、インターネット）２０に接続されることにより構築している。
【００１４】
そして、サーバ１２，産院端末１４，および対象端末１６は、ネットワーク１８を介して、相互通信により各種情報の授受が可能である。即ち、サーバ１２は、ネットワーク１８に接続された各種機器との間で、各種情報の授受が可能である。管理センターは病院内にサーバを設置して管理センターとしても良いし、また、サーバ業者に管理委託し管理センターとしても良いが、本実施形態では、サーバ１２は業者に管理委託した場合につき説明する。この場合，医院または対象者との期間的な契約は、医院または対象者の要望に応じて任意に設定し得る。また、管理センターと対象者との契約は、例えば医院において妊娠と確認された後に、医院を介して行われる。また、病院端末１４は、同一病院内に複数設置しても良いし、複数の病院に設置しても良い。
【００１５】
なお、本実施形態では、ネットワークとしてインターネットを適用した場合について説明し、サーバ１２はＷＥＢサーバ（ＷＷＷサーバ）として機能し、各産院端末１４および各対象端末１６はＷＥＢクライアントとして機能する。即ち、各産院端末１４および各対象端末１６には、ＷＥＢブラウザがインストールされており、このＷＥＢブラウザを起動することにより、ネットワーク１８を介してサーバ１２に任意にアクセスすることができる。
【００１６】
この場合、図示しないアクセスポイントは、ＵＲＬ（Uniform Resource Locator）で指定される。また、各産院端末１４および各対象端末１６の識別には、ＩＰ（Internet  Protocol）アドレスが用いられている。また、各産院端末１４および各対象端末１６を操作するユーザの識別には、管理センター側から予め付与される医院ＩＤまたは顧客ＩＤや，パスワードが用いられる。さらに、各産院端末１４および各対象端末１６を操作するユーザの識別には、予め登録されているメールアドレスが用いられる。
【００１７】
サーバ１２，産院端末１４，および対象端末１６は、パーソナルコンピュータによって構成されている。即ち、パーソナルコンピュータは、各種情報を入力する入力装置としてのキーボード２０，各種メニュー画面（各種編集画面を含む）や画像処理結果などを表示するディスプレイ２２，および各種情報を印刷する図示しないプリンタなどを備える。なお、サーバ１２，産院端末１４，および対象端末１６に配置されるハードウェア構成は、一般的なものであるので、詳細説明は省略する。
【００１８】
図１に示すサーバ１２，産院端末１４，および対象端末１６は、その動作を制御する制御部と，外部との各種情報の授受を行う入出力ポートと，各種のデータベースやプログラムなどを記憶するハードディスク２４などを備える。図２に示すように、ハードディスク２４には、各種データベースが記憶されるデータベース領域ＤＢＲと，編集処理前の映像データである画像データまたは音声データを一時記憶する映像一時記憶領域ＡＭＲと，全ての編集処理が終了したアルバムデータである画像データまたは音声データを記憶するアルバムデータ領域AＤＲと，映像一時記憶領域ＡＭＲから読み込む画像データまたは音声データの取り込みポイントが指定されているフォーマットを予め記憶している画像音声データ領域ＫＤＲと，映像データを圧縮する圧縮プログラムまたは各種データにプロテクトするプロテクタプログラムまたはノンリニア編集プログラムなどが記憶されるプログラム領域ＰＲＲなどが含まれている。
【００１９】
映像一時記憶領域ＡＭＲは、撮影手段である入力端末からの映像データを、そのまま記憶するメモリ領域である。一方、画像音声データ領域ＫＤＲは、複数種類のフォーマットまたは複数の産院に対応するデータ（フォーマット済みのデータをも含む）を記憶するデータ領域である。また、プロテクタプログラムは、転送データの複製を禁止するプログラム（プロテクタ手段）と，転送データの読出しを禁止するプログラム（暗号手段）の両者を含む、例えば鍵方式（いわゆる「すかし」方式など）によるプログラムなどである。さらに、複数種類のフォーマットとは、後述する各データ領域のパターンに、新たなデータ領域を追加したファイルフォーマットが存在することを意味する。
【００２０】
ハードディスク２４のデータベース領域ＤＢＲには、図３に示すように、産院に関する各種情報を記憶する医院データベースＩＤＢと，対象者である顧客に関する各種情報を記憶する顧客管理データベースＫＤＢなどが含まれている。
【００２１】
以下、図５〜図１０に基づき、上記各データベースの構成について説明する。
図４に示すように、医院データベースＩＤＢは、各医院名と，医院へ情報を送信する送信先を示すメールアドレスと，画像音声データ領域ＫＤＲに予め記憶されている画像音声データの先頭アドレスと，医院の電話番号と，医院の住所に関するデータなどが、それぞれ対応付けられて記憶されることによって構成されている。
【００２２】
図５に示す画像音声データ領域ＫＤＲに記憶されている画像音声データは、画像データ部ＩＧＤと，音声データ部ＩＡＤとが時間に対応するように関連付けられている。画像音声データは、ファイル（「アルバムファイル」と同義）フォーマットが予め設定されている。
【００２３】
即ち、図６に示すように、ファイルフォーマットは、出産ヒストリーの経過に対応して、オープニング領域ＯＲ，胎児シーン領域ＡＲ，現地風景領域ＢＲ，医院全景領域ＣＲ，担当医診察風景領域ＤＲ，医院施設領域ＦＲ，スタッフと母親とのコミュニケーション領域ＧＲ，おやすみシーン領域ＨＲ，沐浴シーン領域ＪＲ，授乳シーン領域ＫＲ，エンディング領域ＥＲの各領域で構成されている。
【００２４】
なお、各領域（各トラック範囲）には、その先頭および後尾に、それぞれポイント（インポイントおよびアウトポイント）が予め記憶されている。また、上記各領域の順番およびトラック範囲の時間（秒数）は、いくつかのパターンで予め決まっている。従って、特定の医院におけるファイルフォーマットおよび後述するＢＧＭ（バック・グランド・ミュージック）あるいはナレーションは、共通になっている。
【００２５】
さらに、映像一時記憶領域ＡＭＲに記憶されたコマーシャル部分（産院オリジナル映像）となるオープニングＯＲ，現地風景ＢＲ，医院全景ＣＲ，担当医診察風景ＤＲ，医院施設ＦＲ，およびエンディングＥＲのデータには対応するインデックス（映像データ識別子）が付され、そして映像データ識別子によって所望データの読出し処理などが行われる。
【００２６】
そして、オープニング領域ＯＲおよびエンディング領域ＥＲには、サーバ１２が予め記憶しているオープニング映像およびエンディング映像を、編集処理することにより、挿入する。即ち、特定のオリジナルフォーマットファイルは、オープニング領域ＯＲおよびエンディング領域ＥＲにオープニング映像およびエンディング映像を、挿入することによって作成する。
【００２７】
また、現地風景領域ＢＲ，医院全景領域ＣＲ，担当医診察風景領域ＤＲ，医院施設領域ＦＲ，スタッフと母親とのコミュニケーション領域ＧＲにおける各映像には、管理センターの撮影者が対応する特定医院に出向き例えばデジタルビデオカメラなどの撮影器具で、撮影した画像データまたは音声データを用いる。
【００２８】
即ち、図７に示すように、管理センターの撮影者は、デジタルビデオカメラで、まず特定医院周りの風景（現地風景ＢＲ）を撮影し、次に特定医院の建物全体（医院全景ＣＲ）を撮影し、引続き特定妊婦における担当医の診察風景（担当医診察風景ＤＲ）を撮影し、次に特定医院内の施設（医院施設ＦＲ）を撮影し、最後に医者，看護婦などのスタッフと母親とのコミュニケーションの模様（スタッフと母親とのコミュニケーションＧＲ）を撮影する。なお、図７に付した符号は、図６に付した各領域の符号に対応させたものである。
【００２９】
図５に示す画像データ部ＩＧＤには、そのオープニング領域ＯＲ，現地風景領域ＢＲ，医院全景領域ＣＲ，担当医診察風景領域ＤＲ，医院施設領域ＦＲ，スタッフと母親とのコミュニケーション領域ＧＲ，およびエンディング領域ＥＲに、予め撮影した画像を所定時間内におさまるように編集する。
【００３０】
なお、上記画像には、テロップなどの加工処理（例えば、図７に示す担当医診察風景ＤＲ中に、担当医の経歴などのテロップを追加する処理）を施すようにしても良い。また、図５に示す音声データ部ＩＡＤには、所定の各領域ＯＲなどに対応する予め録音された音声データを、記録する。即ち、音声データ部ＩＡＤには、ＢＧＭあるいはナレーションなどの音声データが記録されている。ナレーションとしては、例えば産院または担当医の紹介などに関する情報を、音声データとする。
【００３１】
一方、図６に示す胎児シーン領域ＡＲ，おやすみシーン領域ＨＲ，沐浴シーン領域ＪＲ，および授乳シーン領域ＫＲに挿入される映像（データ）は、図１に示すような映像手段である入力端末（カメラなど）によって入力された画像または音声が、使用される。
【００３２】
即ち、各産院内の診療室２６，新生児室２８，沐浴室３０，および授乳室３２には、入力端末としての超音波診断装置２７，カメラ２９，３１，および３３が、それぞれ配置されている。また、カメラ２９，３１，および３３は、その撮影方向（例えば、図８の沐浴シーンＪＲに示す浴槽３６）に向かうように固定されている。
【００３３】
さらに、超音波診断装置２７，カメラ２９，３１，および３３は、診療室２６，新生児室２８，沐浴室３０，および授乳室３２内にそれぞれ配置された表示装置（ディスプレイなど）３４に被写体の映像が確認できるように接続されていると共に、産院端末１４に接続されている。
【００３４】
そして、医師，看護婦，補助者，両親などの撮影操作する者（以下、単に「撮影者」という）は、超音波診断装置２７またはカメラ２９などで撮影している画像を、表示装置３４を見ながら確認する。即ち、撮影者は、表示装置３４の表示画面における撮影領域などを確認しながら、被写体（乳児またはその母親など）を移動させたり、あるいはカメラ２９などの図示しないリモートコントローラのズームスイッチなどを操作する。
【００３５】
なお、本実施形態ではカメラ２９などの撮影方向を固定させた例であるが、例えばリモコンなどでカメラ２９などの撮影方向を移動可能とさせても良い。即ち、新生児室２８のカメラ２９でおやすみシーンＨＲ（図８参照）を撮影する場合、まず初期設定場面として図８に示すように新生児室２８の全体を撮影した後、特定のベッド３８で寝ている新生児に焦点が合うように、ズームイン設定させても良い。また、沐浴室３０および授乳室３２のカメラ３１および３３は、上述したように、初期設定場面（沐浴室３０および授乳室３２の全体画面）から新生児に焦点が合うように、ズームイン設定させても良い。
【００３６】
また、超音波診断装置２７は、胎児の発育状態を撮影すると共に、診断時の各種データを表示するように設定されている。そして、超音波診断装置２７は、図８に示すような、胎児画像（シーン）ＡＲが所定時間に亘り、動画として撮影される。また、ここで、胎児を撮影する入力端末を超音波診断装置２７としたのは、胎児に対する安全性を考慮したものである。
【００３７】
さらに、沐浴室３０のカメラ３１は湿気，水蒸気，水滴などの水分に対する耐水性が高い耐水タイプなどとしても良く、または授乳室３２のカメラ２９はたとえば赤外線変換タイプなどとしても良い。即ち、本発明の撮影手段は、上記各シーンを撮影する入力端末２７，２９などを、それぞれの設置場所および撮影状況に応じた特別な機能をもたせるように種々変更し得る。
【００３８】
なお、カメラ２９，３１，および３３は、図８に示すような、おやすみシーンＨＲ，沐浴シーンＪＲ，および授乳シーンＫＲが所定時間に亘り、動画として撮影される。また、図８に付した符号は、図６に付した各領域の符号に対応させたものである。
【００３９】
そして、図６に示す胎児シーン領域ＡＲ，おやすみシーン領域ＨＲ，沐浴シーン領域ＪＲ，および授乳シーン領域ＫＲには、産院内の入力端末２７，２９などによって撮影された上記胎児シーンＡＲ，おやすみシーンＨＲ，沐浴シーンＪＲ，および授乳シーンＫＲの各データを、編集処理することにより、挿入する。
【００４０】
この編集処理の際には、胎児シーン領域ＡＲ，おやすみシーン領域ＨＲ，沐浴シーン領域ＪＲ，および授乳シーン領域ＫＲに対応する音声データ部ＩＡＤに、音声データとしてＢＧＭ，胎児の鼓動，新生児の泣き声あるいは沐浴方法などの音声データを記録する。
【００４１】
本実施形態によれば、産院内で担当スタッフおよび両親が映像を確認しながら撮影するので、産院側および両親側のプライベート部分が担保された上で、産院内で迅速かつ適確に出生ヒストリーを完成（記録）できる。また、本実施形態において、胎児の画面，鼓動などの音声は、産院のみでしか入手できないデータであるので、顧客にとっては非常に記念となる。さらに、本実施形態においては、動画として撮影されたものであるから、写真と異なり、感動が大きい。
【００４２】
本実施形態においては、沐浴方法がアルバムデータとして記録されるので、沐浴の手順すなわち仕方を参考，復習，または確認できる。従って、本実施形態によれば、沐浴方法が動画として視覚できるので、自宅での沐浴の参考などにできる。
【００４３】
上記編集処理は、ノンリニア編集などによって行う。ノンリニア編集とは、例えばデジタルで記録された上記各映像データをハードディスク２４の映像一時記憶領域ＡＭＲに取り込み、そして映像一時記憶領域ＡＭＲから読み出した上記各映像データを、画像音声データ領域ＫＤＲにおける特定のファイルフォーマットの上記各トラック範囲に自由に検索および編集する方法である。
【００４４】
そして、アルバムデータは、上記各トラック範囲に対応する画像または音声を各々はめ込むことによって完成する。なお、映像一時記憶領域ＡＭＲに記憶された胎児シーンＡＲ，おやすみシーンＨＲ，沐浴シーンＪＲおよび授乳シーンＫＲのデータには対応するインデックス（映像データ識別子）が付され、そして映像データ識別子によって所望データの読出し処理などを行う。
【００４５】
図９に示すように、顧客管理データベースＫＤＢは、対象者である顧客の顧客名（氏名）と，顧客に付されたカルテ番号（カルテＮｏ）と，顧客へ情報を送信する送信先を示すメールアドレスと，顧客への緊急時の連絡手段である電話番号と，映像一時記憶領域ＡＭＲ中に記憶された上記胎児シーンＡＲ，おやすみシーンＨＲ，沐浴シーンＪＲおよび授乳シーンＫＲのデータを識別するための映像データ識別子（本実施形態では、「Ａ」，「Ｂ」として示す）と，顧客を担当する医院名などが、それぞれ対応付けられて記憶されることによって構成されている。
【００４６】
なお、サーバ１２などは、顧客管理データベースＫＤＢを参照することにより、任意の顧客に関する映像データ識別子，メールアドレスなどの各々を示す情報を取得することができる。また、顧客名は、起算日の古い順に記憶されるように構成されている。
【００４７】
そして、医院データベースＩＤＢは、サーバ１２にのみ存在し、産院端末１４には存在しない。一方、顧客管理データベースＫＤＢは、サーバ１２および各産院端末１４にそれぞれ存在する。即ち、本実施形態では、管理センターが出産に関するサービスを一括して取り扱うので、医院データベースＩＤＢの他に、顧客管理データベースＫＤＢをもハードディスク２４に含ませている。
【００４８】
引続き、本実施形態の作用について説明する。まず、図１に基づき、本実施形態の運営手順について概略する。管理センターは、特定の医院あるいはその医院の顧客に対し、産院端末１４あるいは対象端末１６を提供すると共に、医院ＩＤまたは顧客ＩＤ，パスワード，およびメールアドレスを発行する。
【００４９】
なお、産院端末１４あるいは対象端末１６を予め所有している医院あるいは顧客には、ユーザＩＤ，パスワード，およびメールアドレスを発行するのみでも良い。また、医院は、産院端末１４の顧客管理データベースＫＤＢに新規の顧客に関するデータを入力すると共に、上記新規の顧客に関するデータをサーバ１２に出力する。
【００５０】
次に、図１０に基づき、サーバ１２側のデータ処理および送信処理について説明する。なお、本フローチャートは、サーバ１２内の図示しない制御部（本発明の管理手段，管理装置，管理部に対応）が行う処理である。ステップ１００で医院ＩＤが入力されたか否かが判断され、ステップ１００が肯定の場合すなわち医院ＩＤが入力された場合には、ステップ１０２でサーバ１２のハードディスク２４に記憶されている医院ＩＤと同一であるか否かが判断される。
【００５１】
ステップ１０２が肯定の場合すなわちハードディスク２４に記憶されている医院ＩＤと同一である場合には、ステップ１０４で医院側の産院端末１４から画像音声データの送信要求があるか否かが判断される。ステップ１０４が肯定の場合すなわち画像音声データの送信要求があった場合には、ステップ１０６で医院ＩＤに対応する特定医院の画像音声データ（本発明の産院データに相当）が医院データベースＩＤＢの画像音声データアドレスにあるか否かが判断される。
【００５２】
なお、ステップ１０６における、サーバ１２の画像音声データ領域ＫＤＲに記憶されている特定医院の画像音声データには、オープニングＯＲ，現地風景ＢＲ，医院全景ＣＲ，担当医診察風景ＤＲ，医院施設ＦＲ，スタッフと母親とのコミュニケーションＧＲ，およびエンディングＥＲのデータのみが、ファイルフォーマットの対応する各領域ＯＲ，ＢＲ，ＣＲ，ＤＲ，ＦＲ，ＧＲ，およびＥＲに記録されている。即ち、上記特定医院の画像音声データにおける、胎児シーン領域ＡＲ，おやすみシーン領域ＨＲ，沐浴シーン領域ＪＲ，および授乳シーン領域ＫＲには、対応する画像データ（または音声データ）が記録されていない。
【００５３】
ステップ１０６が否定の場合すなわち特定医院の画像音声データがない場合には、ステップ１０８で特定医院の画像音声データがない旨を管理センター側のディスプレイ２に表示させる。なお、この場合には、特定医院の産院端末１４に、画像音声データがない旨のデータを送信する。
【００５４】
ステップ１０６が肯定の場合すなわち特定医院の画像音声データがある場合には、ステップ１１０で医院データベースＩＤＢの画像音声データアドレスからハードディスク２４内の画像音声データ（図５参照）を読出す。さらに、ステップ１１２において、ステップ１１０で読出された画像音声データを特定の医院端末１４に送信する。この送信の際に、ハードディスク２４のプログラム領域ＰＲＲに記憶されているプロテクタプログラムにより、画像音声データが暗号化される。
【００５５】
なお、ステップ１００の処理は、医院ＩＤが入力されるまで続けられる。また、ステップ１０２が否定の場合すなわち記憶されている医院ＩＤと同一でない場合、本フローチャートは終了する。さらに、ステップ１０４が否定の場合すなわち画像音声データの送信要求がない場合、本フローチャートは終了する。
【００５６】
図１１に基づき、画像音声データの送信要求した特定の産院端末１４におけるデータ処理について説明する。本フローチャートの処理は、その前提として、図１０のステップ１１２の画像音声データが特定の医院端末１４に対して送信処理されたことが必要である。
【００５７】
ステップ１２０において、サーバ１２からの画像音声データを受信し、医院端末１４におけるハードディスク２４の画像音声データ領域ＫＤＲに記憶する。なお、この場合、サーバ１２から送信された画像音声データには、プロテクト処理が施されているので、送信データである画像音声データの複製が禁止されると共に読出しも禁止される。
【００５８】
一方、契約済みの医院端末１４には上記画像音声データのプロテクタを解除するプロテクトプログラムが、ハードディスク２４のプログラム領域ＰＲＲに記憶されているので、上記医院端末１４において、上記画像音声データを読出す際には、上記画像音声データを読出すことができる。なお、この場合であっても、上記画像音声データの複製が禁止された状態に保持される。
【００５９】
また、画像音声データを画像音声データ領域ＫＤＲに記憶する際には、その先頭アドレスを、サーバ１２の医院データベースＩＤＢに記憶されている先頭アドレス（図４参照）と同一する。そして、図９には図示していないが、上記先頭アドレスを、顧客管理データベースＫＤＢの顧客に関連付けて記録する。
【００６０】
ステップ１２２でアルバムファイル（本発明でいう「アルバムデータ」と同義）を作成すべき顧客名が入力されたか否かが判断され、顧客名が入力された場合にはステップ１２４で対応する顧客を医院端末１４に記憶されている顧客管理データベースＫＤＢから検索する。
【００６１】
ステップ１２６において、顧客に対応する映像データがあるか否かを、顧客管理データベースＫＤＢの映像データ識別子から判断する。ステップ１２６が否定の場合すなわち顧客に対応する映像データがない場合には、ステップ１２８で映像データがない旨を医院側のディスプレイ２２に表示させ、本フローチャートは終了する。
【００６２】
ステップ１２６が肯定の場合すなわち顧客に対応する映像データがある場合には、ステップ１３０で映像データを読出す。即ち、この映像データは、医院内の入力端末２７，２９などで撮影された画像データまたは音声データであり、医院側のハードディスク２４の映像一時記憶領域ＡＭＲに記憶されている。そして、映像データは、特定顧客の映像データ識別子に関連付けられて記憶されている。
【００６３】
ステップ１３２において、ステップ１２０で記憶された画像音声データを読出す。なお、上述したように、サーバ１２から送信される上記特定医院の画像音声データには、胎児シーン領域ＡＲ，おやすみシーン領域ＨＲ，沐浴シーン領域ＪＲ，および授乳シーン領域ＫＲ内に、対応する画像データ（または音声データ）が記録されていない。
【００６４】
ステップ１３４で自動編集をするか否かが判断され、ステップ１３４が肯定の場合すなわち自動編集処理が選択された場合にはステップ１３６で医院端末１４のハードディスク２４のプログラム領域ＰＲＲに記憶されているノンリニア編集プログラムに基づいてノンリニア編集する。
【００６５】
即ち、本実施形態では、画像音声データ領域ＫＤＲから読出された特定医院の画像音声データにおける、胎児シーン領域ＡＲ，おやすみシーン領域ＨＲ，沐浴シーン領域ＪＲ，および授乳シーン領域ＫＲを検索すると共に、映像一時記憶領域ＡＭＲに記憶された胎児シーンＡＲ，おやすみシーンＨＲ，沐浴シーンＪＲおよび授乳シーンＫＲの各データを、それぞれ上記各領域に取り込む編集処理が行われる。従って、編集処理が終了したアルバムデータには、図５および図６に示す全領域にデータが記録されている。
【００６６】
ステップ１３８において、自動編集されたアルバムデータを産院端末１４のハードディスク２４のアルバムデータ領域AＤＲ（図２参照）に記憶させる。この際、その先頭アドレス（アルバムデータアドレス）は対応する顧客の電話番号の数字をそのまま使用し、顧客管理データベースＫＤＢの顧客に関連付けて記録する。また、ステップ１４０において、自動編集されたアルバムデータをサーバ１２に送信する。
【００６７】
なお、ステップ１２２が否定の場合すなわち顧客名が入力されない場合、本フローチャートは終了する。また、ステップ１３４が否定の場合すなわち自動編集処理を選択しない場合、本フローチャートは終了する。
【００６８】
図１２に基づき、特定顧客のアルバムデータ（画像音声データ）におけるデータ処理について説明する。本フローチャートの処理は、その前提として、図１１のステップ１４０における自動編集されたアルバムデータが医院端末１４から送信処理されたことが必要である。
【００６９】
ステップ１５０において、医院端末１４からのアルバムデータを受信し、サーバ１２におけるハードディスク２４のアルバムデータ領域AＤＲに記憶する。なお、上述したように、アルバムデータアドレスは、対応する顧客の電話番号の数字がそのまま使用され、顧客管理データベースＫＤＢの顧客に関連付けられている。即ち、本実施形態においては、同一のアルバムデータが、担当病院の産院端末１４の他に、管理センターのサーバ１２にも記憶されている。
【００７０】
ステップ１５２において、顧客（ユーザ）ＩＤが入力されたか否かが判断され、ステップ１５２が肯定の場合すなわち顧客ＩＤが入力された場合には、ステップ１５４でサーバ１２のハードディスク２４に記憶されている顧客ＩＤと同一であるか否かが判断される。
【００７１】
ステップ１５４が肯定の場合すなわちハードディスク２４に記憶されている顧客ＩＤと同一である場合には、ステップ１５６でユーザ側の対象端末１６からアルバムデータの送信要求があるか否かが判断される。ステップ１５６が肯定の場合すなわちアルバムデータの送信要求があった場合には、ステップ１５８で顧客ＩＤに対応するアルバムデータが顧客管理データベースKＤＢのアルバムデータアドレスにあるか否かが判断される。
【００７２】
ステップ１５８が否定の場合すなわち特定顧客のアルバムデータがない場合には、ステップ１６０で特定顧客のアルバムデータがない旨を管理センター側のディスプレイ２に表示させる。なお、この場合には、特定顧客の対象端末１６に、アルバムデータがない旨のデータを送信する。
【００７３】
ステップ１５８が肯定の場合すなわち特定顧客のアルバムデータがある場合には、ステップ１６２で医院データベースＩＤＢのアルバムデータアドレスからハードディスク２４のアルバムデータ領域AＤＲ（図２参照）内に記憶されているアルバムデータを読出す。さらに、ステップ１６４において、ステップ１６２で読出されたアルバムデータを特定の対象端末１６に送信する。
【００７４】
本実施形態においては、従来では撮影が困難である映像データ（たとえば、胎児または担当スタッフなどの映像など）を、顧客に記念品として提供することができる。即ち、本実施形態によれば、従来では撮影困難のデータでかつ顧客にとって貴重なデータを得ることができるので、顧客の満足度が高められる。
【００７５】
また、本実施形態によれば、病院毎の産院データ（画像音声データ），および完成済みの複数のアルバムデータを、管理センターが一括して管理するので、病院毎および顧客毎の管理が迅速かつ容易となる。さらに、本実施形態によれば、管理センターに産院のコマーシャル部分の撮影，およびアルバムデータを管理させるので、産院側の負担が軽減する。
【００７６】
上記送信の際に、ハードディスク２４のプログラム領域ＰＲＲに記憶されているプロテクタプログラムにより、アルバムデータが暗号化される。また、この場合、サーバ１２から送信されたアルバムデータには、プロテクト処理が施されているので、送信データであるアルバムデータの複製が禁止されると共に読出しも禁止される。
【００７７】
一方、契約済みの対象端末１６には上記アルバムデータのプロテクタを解除するプロテクトプログラムが、ハードディスク２４のプログラム領域ＰＲＲに記憶されているので、上記対象端末１６において、上記アルバムデータを読出す際には、上記アルバムデータを読出すことができる。なお、この場合であっても、上記アルバムデータの複製が禁止された状態に保持される。
【００７８】
本実施形態においては、上記アルバムデータを対象端末１６のディスプレイ２２に表示させるのみならず、上記アルバムデータを対象端末１６における記憶媒体たとえばデジタルビデオディスク（ＤＶＤ）などにダウンロードしたり、あるいは図示しないプリンターでプリントアウトしても良い。
【００７９】
また、管理センターは、ユーザの要求に応じて胎児から乳児への各成長過程を製本し、頒布するようにしても良い。さらに、ユーザは、管理センターとの契約により、ダウンロードするアルバムデータに対し、加工処理を施せるようにしても良い。
【００８０】
なお、ステップ１５２の処理は、顧客ＩＤが入力されるまで続けられる。また、ステップ１５４が否定の場合すなわち記憶されている顧客ＩＤと同一でない場合、本フローチャートは終了する。さらに、ステップ１５６が否定の場合すなわちアルバムデータの送信要求がない場合、本フローチャートは終了する。
【００８１】
本実施形態では、管理センターのサービス業務の一環として、図１３Ａに示すような情報提供メニュ画面（エンジェルズ・ネット・ホーム・ページ）を配信するようにしても良い。そして、図１３Ａに示すように、メニュ画面の「お名前」欄および「病院名」欄に該当するデータを入力することにより、図１３Ｂに示すような表示画面または図１３Ｃに示すような表示画面を配信するようにしても良い。
【００８２】
この表示画面中の「写真」欄には例えば入浴シーンなどの写真データを表示させると共に、表示画面中の各「感想」欄などにはユーザが入力したデータを表示させる。そして、本実施形態では、上記情報をユーザのホーム・ページとして、親戚，友人などに頒布するようにしても良い。
【００８３】
即ち、本実施形態によれば、上述したようにきめ細かいネットワークサービスを提供できるので、産院側およびその各顧客に対して充実したサービスを提供できると共に、他の産院との差別化を図ることができ、したがって顧客を確保できる。また、本実施形態によれば、地域に密着したネットワーク１８を構築することで地域医療の先進となると共に、ホームページでの宣伝効果あるいは口コミ宣伝などによって集客力が増大する。
【００８４】
なお、上記実施形態では完成済みのアルバムデータを管理センターのサーバ１２に送信する例であるが、本発明では完成済みのアルバムデータを管理センターに送信することなく、病院側のみが完成済みのアルバムデータを管理するようにしても良い。また、本発明では、病院側および管理センター側の両者が、完成済みのアルバムデータを管理するようにしても良い。
【００８５】
上記実施形態では撮影手段をデジタル用のカメラとした例であるが、本発明の撮影手段はアナログ用のカメラなどとしても良い。この場合には、アナログデータをデジタルデータへ変換する変換手段を設ける必要がある。また、本発明に係るネットワークの構成などは、任意に変更できる。さらに、各種の処理方法も、任意に変更できる。
【００８６】
【発明の効果】
以上説明したように、本発明によれば、従来では撮影が困難である映像データ（たとえば、出産前の胎児成長映像・出産映像・沐浴映像などの映像など）からなる出生ヒストリーを、顧客に記念品として提供できるので、顧客の満足度が高められる。また、本発明によれば、産院データを、管理装置によって一括して管理するようにすれば、産院側の負担が軽減する。
【図面の簡単な説明】
【図１】本発明の一実施形態に係る産院に関する情報処理システムの構成を示すブロック図である。
【図２】図１に示すサーバのハードディスクに記憶される各種データ領域を示す模式図である。
【図３】図２に示すハードディスクのデータベース領域に記憶される各種データベースを示す模式図ある。
【図４】図３に示す医院データベースＩＤＢの構成を示す模式図ある。
【図５】図２に示す画像音声データ領域ＫＤＲの構成を示す模式図である。
【図６】図５に示す画像音声データ領域ＫＤＲのファイルフォーマットを示す模式図である。
【図７】図６に示すファイルフォーマットの所定領域における画像データの挿入手順を説明する概略図である。
【図８】図１に示す撮影手段でそれぞれ撮影された画像データを示す模式図である。
【図９】図３に示す顧客管理データベースＫＤＢの構成を示す模式図である。
【図１０】サーバ側のデータ処理および送信処理を説明するフローチャートである。
【図１１】画像音声データの送信要求した特定の産院端末におけるデータ処理を説明するフローチャートである。
【図１２】特定顧客のアルバムデータにおけるデータ処理を説明するフローチャートである。
【図１３】図１に示すディスプレイに表示されるホームページ画面の一例を示す概略図である。
【符号の説明】
１０  産院情報処理システム
１２  サーバ（情報処理装置，管理装置，管理手段，管理部，出力手段，受信手段）
１４  産院端末（情報処理装置，記憶装置，記憶手段，記憶部，受信部，出力部）
１６  対象端末
１８  ネットワーク
２６  診断室
２７  超音波診断装置（撮影手段）
２８  新生児室
２９  カメラ（撮影手段）
３０  沐浴室
３１  カメラ（撮影手段）
３２  授乳室
３３  カメラ（撮影手段）
【図１】
2004208233.tif 000003
【図２】
2004208233.tif 000004
【図３】
2004208233.tif 000005
【図４】
2004208233.tif 000006
【図５】
2004208233.tif 000007
【図６】
2004208233.tif 000008
【図７】
2004208233.tif 000009
【図８】
2004208233.tif 000010
【図９】
2004208233.tif 000011
【図１０】
2004208233.tif 000012
【図１１】
2004208233.tif 000013
【図１２】
2004208233.tif 000014
【図１３】
2004208233.tif 000015